(57)【要約】【課題】本発明は構造が簡単で、製造し易い電子ペンを提供することを目的とする。【解決手段】本発明の電子ペンは、中空の筆立て１０と、前記筆立て１０の一端に固着される筆先と、ガイド溝３２４が設置されており、且つ前記筆立て１０内に装着されるスライドロッド３０と、相対向する２つの側壁には貫通孔が開設されており、且つ前記筆立て１０と前記スライドロッド３０との間に設置されるドローバーと、前記２つの貫通孔に装着されるスライドピン７０と、を備える。前記スライドピン７０が前記ガイド溝３２４内にスライド可能に設置されるため、前記スライドロッド３０を前記ドローバーに対し相対移動できる。【選択図】図５
2011096219.tif 000002
【特許請求の範囲】
【請求項１】
中空の筆立てと、
前記筆立ての一端に固着される筆先と、
ガイド溝が設置されており、且つ前記筆立て内に装着されるスライドロッドと、
相対向する２つの側壁には貫通孔が開設されており、且つ前記筆立てと前記スライドロッドとの間に設置されるドローバーと、
前記２つの貫通孔に装着されるスライドピンと、を備える電子ペンであって、
前記スライドピンが前記ガイド溝内にスライド可能に設置されるため、前記スライドロッドを前記ドローバーに対し相対移動できることを特徴とする電子ペン。
【請求項２】
前記ガイド溝の両端にはそれぞれ横断面が前記スライドピンの横断面に対応するロック穴が開設されていて、前記ロック穴は、幅が前記スライドピンの直径より小さい狭いチャネルを介して前記ガイド溝に連通し、前記ロック穴に前記スライドピンが保持されることにより前記ドローバーを前記スライドロッドに相対的にロックすることを特徴とする請求項１に記載の電子ペン。
【請求項３】
前記筆立て及び前記スライドロッドには、それぞれ２つの固定穴が対称的に開設され、前記筆先には、２つの位置決め穴が対称的に開設され、１つの固定ピンが前記筆立ての固定穴、前記筆先の位置決め穴及び前記スライドロッドの固定穴を順に貫くことにより、前記筆立て、前記筆先及び前記スライドロッドが一体的に固定されることを特徴とする請求項２に記載の電子ペン。
【請求項４】
前記電子ペンはさらにキャップを含み、前記キャップの内側には環状突起部が設置され、且つ前記筆先には環状の係止溝が開設され、前記突起部が前記係止溝に着脱可能に係合されることを特徴とする請求項３に記載の電子ペン。
【発明の詳細な説明】
【技術分野】
【０００１】
本発明は、電子ペン、特に携帯電子装置に用いられる電子ペンに関するものである。
【背景技術】
【０００２】
電子技術の発展に伴って、携帯電話、個人用携帯情報端末（ＰＤＡ）等のようなタッチパネルを有する携帯式電子装置が広範に用いられている。これらの携帯式電子装置は、一般的に入力ペンを入力手段とする。
【０００３】
従来の電子ペンは、通常、携帯電子装置の内部に内蔵されており、電子ペンを使用する場合、電子ペンを前記携帯電子装置の蓋体から抜き出す。しかし、携帯電子装置の蓋体の長さが短いため、それに挿入される電子ペンも短く設計しなければならない。従って、電子ペンの長さは制限されて、利用者に不便を齎した。以上の問題を解決するために、長く伸ばすことができる電子ペンが設計されたが、それらの電子ペンは構造が複雑で、製造し難い。
【発明の概要】
【発明が解決しようとする課題】
【０００４】
本発明は構造が簡単で、製造し易い電子ペンを提供することを目的とする。
【課題を解決するための手段】
【０００５】
前記課題を解決するために、本発明に係る電子ペンは、中空の筆立てと、前記筆立ての一端に固着される筆先と、ガイド溝が設置されており、且つ前記筆立て内に装着されるスライドロッドと、相対向する２つの側壁には貫通孔が開設されており、且つ前記筆立てと前記スライドロッドとの間に設置されるドローバーと、前記２つの貫通孔に装着されるスライドピンと、を備える。前記スライドピンが前記ガイド溝内にスライド可能に設置されるため、前記スライドロッドを前記ドローバーに対し相対移動できる。
【発明の効果】
【０００６】
本発明の電子ペンは、筆立て、スライドロッド、ドローバー、筆先及びキャップ等から構成され、且つ各部品の構造が簡単であるから、前記電子ペンを容易に製造できる。また、前記スライドピンを前記スライドロッド上でスライドさせることにより、前記スライドロッドを前記ドローバーに対し相対移動させて、前記電子ペンを長く伸ばして使用できるから、本発明の電子ペンは操作便利という利点もある。
【図面の簡単な説明】
【０００７】
【図１】本発明の実施形態に係る電子ペンの立体分解図である。
【図２】図１に示す電子ペンの組立図である。
【図３】図２に示す電子ペンが伸ばされた状態を示す図である。
【図４】図１に示す電子ペンのＩＶ−ＩＶ線に沿う断面図である。
【図５】図４に示す電子ペンの使用状態を示す図である。
【発明を実施するための形態】
【０００８】
以下、図面を参照しながら、本発明の実施形態について詳しく説明する。
【０００９】
本発明の実施形態に係る電子ペンは、携帯電話、個人用携帯情報端末（ＰＤＡ）、パソコン等の携帯電子装置に適用することができる。
【００１０】
図１に示したように、前記電子ペン１００は、筆立て１０と、前記筆立て１０の一端から突き出す筆先２０と、前記筆立て１０内に固定されるスライドロッド３０と、前記スライドロッド３０をスライド可能に被せ且つ前記筆立て１０の他端から突き出すドローバー４０と、前記筆先２０を被せるキャップ５０と、固定ピン６０と、スライドピン７０と、を備える。前記筆先２０と前記スライドロッド３０とが前記固定ピン６０を介して前記筆立て１０に固定される。前記ドローバー４０が前記スライドピン７０を介してスライド可能に前記スライドロッド３０に設置される。
【００１１】
前記筆立て１０は、略管状であって、その長手方向に沿って前記筆立て１０を貫通する収容空洞部１２が開設されている。前記収容空洞部１２は、四つの側壁１４により囲まれるように形成され、且つ相対向する２つの側壁１４上にそれぞれ固定穴１４２が同軸に開設されている。前記２つの固定穴１４２は、前記筆立て１０の一端に隣接して対称的に設置される。前記固定ピン６０は、前記２つの固定穴１４２を介して前記筆立て１０を貫く。
【００１２】
前記筆先２０は、固着部２２と、前記固着部２２の一端から突き出すタッチ端２４と、前記固着部２２と前記タッチ端２４との接続部位に開設された環状の係止溝２６と、を含む。前記固着部２２は、略矩形の管状体であって、その相対向する２つの側壁上にそれぞれ１つの位置決め穴２２２が開設されている。前記固定ピン６０を前記２つの位置決め穴２２２に緊密に係合することにより、前記筆先２２を前記筆立て１０の一端に固定する。前記固着部２２の長手方向に沿って前記固着部２２の内部には、前記スライドロッド３０の一端を収納するための収容部２２４（図４を参照）が開設されている。前記タッチ端２４は、略円錐形であって、携帯電子装置のタッチパネル（図示せず）をタッチすることに用いられる。前記係止溝２６は、環状溝であって、前記キャップ５０と互いに係合する。
【００１３】
前記スライドロッド３０は、本体３２及び前記本体３２に連接する固定部３４を含む。前記本体３２は矩形の柱体であって、その中部には前記本体３２の相対向する２つの側壁３２２を貫通するガイド溝３２４が開設されている。前記ガイド溝３２４の両端にはそれぞれ１つのロック穴３２６が開設されており、各々のロック穴３２６と前記ガイド溝３２４との間には両者を連接する狭いチャネル３２８が形成されている。前記ガイド溝３２４は細長い貫通溝であって、前記スライドピン７０は前記ガイド溝３２４内でスライドできる。前記ロック穴３２６の幅は前記スライドピン７０の直径にほぼ等しいが、前記チャネル３２８の幅は前記スライドピン７０の直径より小さい。前記各々のロック穴３２６の前記チャネル３２８から離れている外側には、スリット３２９が延伸して開設されている。前記スリット３２９が存在するため、前記ロック穴３２６の相対向する２つの側壁が広げ易い。前記スライドピン７０を前記ロック穴３２６内に滑り込ませると、前記ロック穴３２６の２つの側壁は弾性力により再び元の状態に回復して、前記スライドピン７０をしっかりと保持する。
【００１４】
前記固定部３４の相対向する２つの側壁には、それぞれ１つの固定穴３４２が開設されており、前記固定ピン６０が前記２つの固定穴３４２に緊密に係合することにより、前記スライドロッド３０を前記筆立て１０に固定する。前記スライドロッド３０は、ポリフォルムアルデヒド（ＰＯＭ）のような摩擦に耐える弾性材料で製作される。
【００１５】
前記ドローバー４０は、ロッド部４２及び前記ロッド部４２の一端に設置された把持部４４を備える。前記ロッド部４２は中空の管状体であって、その中央部にはその長手方向に沿って収容空洞部４２２が開設されておる。前記収容空洞部４２２の相対向する２つの側壁の前記把持部４４から離れている一端には、２つの貫通孔４２４が対称的に開設されている。前記把持部４４が存在するため、前記ロッド部４２を前記筆立て１０から容易に引き出すことができる。
【００１６】
図５を一緒に参照すると、前記キャップ５０の一端には、収容空洞部５２が開設され、前記収容空洞部５２の内周壁には、前記筆先２０の係止溝２６に係合する環状突起部５２２が設けられている。
【００１７】
前記電子ペン１００の組立ステップについて、図１〜図４を参照しながら説明する。
【００１８】
まず、前記スライドロッド３０の本体３２を前記ドローバー４０の収容空洞部４２２内に収納して、前記ドローバー４０の貫通孔４２４を前記本体３２のガイド溝３２４と位置合せしてから、前記スライドピン７０の一端を前記１つの貫通孔４２４、ガイド溝３２４及びもう１つの貫通孔４２４を順に貫かせて、前記スライドピン７０の他端を他の一つの貫通孔４２４に係合することにより、前記スライドピン７０を前記ガイド溝３２４内にスライド可能に装着して、前記スライドロッド３０を前記ドローバー４０に相対してスライドさせる。
【００１９】
次に、前記スライドロッド３０を前記ドローバー４０の収容空洞部４２２から少し引き出してから、前記筆先２０を前記スライドロッド３０の固定部３４上に被せて、さらに前記筆先２０を移動して前記筆先２０上の位置決め穴２２２と前記スライドロッド３０上の固定穴３４２とを位置合せする。続いて、前記筆立て１０を前記筆先２０を通して前記ドローバー４０に被せて、且つ前記筆立て１０上の固定穴１４２と前記筆先２０上の位置決め穴２２２とを位置合せする。それから、前記固定ピン６０を前記固定穴１４２、位置決め穴２２２及び固定穴３４２に順に貫かせて、前記筆立て１０、筆先２０及びスライドロッド３０を一体に組み立てる。
【００２０】
最後に、前記キャップ５０を前記筆先２０上に被せて、且つ前記キャップ５０の環状突起部５２２を前記筆先２０の係止溝２６に係合するとともに、前記筆先２０のタッチ端２４を前記キャップ５０の収容空洞部５２内に収納する。これで、前記電子ペン１００の組み立てが完了する。
【００２１】
図３と図５に示したように、電子ペン１００を使用する時、前記キャップ５０を引っ張ると、前記筆立て１０、筆先２０及びスライドロッド３０は前記ドローバー４０の把持部４４から離れる方向へ移動し、前記スライドピン７０は前記移動方向の反対方向に向けて前記スライドロッド３０のガイド溝３２４内でスライドする。前記キャップ５０をさらに引っ張ると、前記スライドピン７０が前記把持部４４に近接する狭いチャネル３２８から前記ロック穴３２６内に滑り込んで保持される。最後に、もっと力を加えて前記キャップ５０の突起部５２２を前記筆先２０の係止溝２６から離脱させれば、前記電子ペン１００を使用できる。
【００２２】
また、前記電子ペン１００の構造を簡略化するために、前記筆先２０と前記筆立て１０を一体成型してもよい。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１０    筆立て
１２    開口端
１４    側壁
２０    筆先
２２    係止溝
２４    タッチ端
２６    係止溝
３０    スライドロッド
３２    本体
３４    固定部
４０    ドローバー
４２    ロッド部
４４    把持部
５０    キャップ
５２    収容空洞部
６０    固定ピン
７０    スライドピン
１００  電子ペン
１４２  固定穴
２２２  位置決め穴
２２４  収容部
３２４  ガイド溝
３２６  ロック穴
３２８  狭いチャネル
３２９  スリット
３４２  固定穴
４２２  収容空洞部
４２４  貫通孔
５２２  環状突起部
【図１】
2011096219.tif 000003
【図２】
2011096219.tif 000004
【図３】
2011096219.tif 000005
【図４】
2011096219.tif 000006
【図５】
2011096219.tif 000007